(57)【要約】【課題】多種多様な無線通信方式を有する多数の端末システムを収容できる共通の無線通信装置を提供する。【解決手段】第１の通信装置から送出された無線信号を復調しない状態でディジタル変換したディジタル信号を蓄積する第１の蓄積部と、前記第１の蓄積部に蓄積されるディジタル信号を復調するための変復調方式を選択して復調する復調方式選択部と、前記復調方式選択部によって復調されたディジタル信号を蓄積する第２の蓄積部と、第２の通信装置から送信されるデータの送信要求があると、前記第２の蓄積部に蓄積されたディジタル信号を読み出し、読み出したディジタル信号から要求されたデータを抽出し、前記第２の通信装置に送信するデータ送信部と、を有することを特徴とする。【選択図】図１
2008172597.tif 000002
【特許請求の範囲】
【請求項１】
第１の通信装置から送出された無線信号を復調しない状態でディジタル変換したディジタル信号を蓄積する第１の蓄積部と、
前記第１の蓄積部に蓄積されるディジタル信号を復調するための変復調方式を選択して復調する復調方式選択部と、
前記復調方式選択部によって復調されたディジタル信号を蓄積する第２の蓄積部と、
第２の通信装置から送信されるデータの送信要求があると、前記第２の蓄積部に蓄積されたディジタル信号を読み出し、読み出したディジタル信号から、要求されたデータを前記第２の通信装置に送信するデータ送信部と、
を有することを特徴とする無線通信装置。
【請求項２】
前記第２の通信装置に対するアクセスを許可するか否かを示すアクセス権限情報を蓄積する第３の蓄積部と、
前記第２の通信装置から送信されるキー情報と前記第３の蓄積部に記憶されるアクセス権限情報とに基づいて、前記第1の蓄積部に蓄積されたデータと前記第２の蓄積部に蓄積されたデータとのうち少なくともいずれか一方のデータを前記第２の通信装置に送信するか否かを判定するアクセス判定部と、
を有することを特徴とする請求項１記載の無線通信装置。
【請求項３】
前記第１の通信装置を識別する端末ＩＤを含む属性情報を蓄積する第４の蓄積部を有し、
前記復調方式選択部は、前記第４の蓄積部に蓄積された属性情報に対応するディジタル信号を前記第１の蓄積部から読み出して復調する
ことを特徴とする請求項１または２に記載の無線通信装置。
【請求項４】
前記第１の端末装置から送出される無線信号を復調しない状態で受信する受信装置を識別する識別ＩＤを蓄積する第５の蓄積部を有し、
前記アクセス判定部は、前記第２の通信装置から送信されるキー情報と前記第５の蓄積部に記憶される識別ＩＤとに基づいて、前記第1の蓄積部に蓄積されたデータと前記第２の蓄積部に蓄積されたデータとのうち少なくともいずれか一方のデータを前記第２の通信装置に送信するか否かを判定する
ことを特徴とする請求項２または３に記載の無線通信装置。
【請求項５】
第１の通信装置が送出する無線信号を受信して、前記無線信号を復調せずにディジタル変換したディジタル信号を生成する子局装置と、請求項１から請求項４のうちいずれか１項に記載された無線通信装置と、前記子局から前記無線通信装置に光ファイバを介して前記ディジタル信号を伝送する光ファイバと、
を有することを特徴とする無線通信システム。
【請求項６】
第１の通信装置が送出する無線信号を子局装置で受信し、前記無線信号を復調せずにディジタル変換し、ディジタル信号を親局装置まで光ファイバを介して伝送させるディジタルファイバ無線通信方法において、
周波数帯ごとに該ディジタル信号を蓄積部に蓄積し、該ディジタル信号を復調するための変復調方式を選択し、第２の通信装置からデータの送信要求を受信し、当該第２の通信装置が該ディジタル信号および前記変復調方式に従って復調された後の信号へアクセスが許可されているか否かを判定し、アクセスが許可されていると判定した場合に復調後の信号を解析して、前記第２の通信装置に送信する、
ことを特徴としたディジタルファイバ無線通信方法。
【請求項７】
コンピュータに、
第１の通信装置から送出された無線信号を復調しない状態でディジタル変換したディジタル信号を蓄積する機能、
前記蓄積されるディジタル信号を復調するための変復調方式を選択して復調する機能、
前記復調されたディジタル信号を蓄積する機能、
第２の通信装置から送信されるデータの送信要求があると、前記蓄積されたディジタル信号を読み出し、読み出したディジタル信号から要求されたデータを抽出し、前記第２の通信装置に送信する機能、
として実現するためのプログラム。
【発明の詳細な説明】
【技術分野】
【０００１】
本発明は、無線通信方式と無線信号蓄積方式に関するものであり、特に多種多様な無線情報を統一的な方法で収集蓄積し、安全に流通させることができる無線通信装置、無線通信システムに関するものである。
【背景技術】
【０００２】
ユビキタス社会では、各種センサーシステムやタグシステムに見られるように、計算資源の限られた端末がネットワークに接続されている。これらの端末は、それぞれ予め決められた方式で通信するため、通信方式が理解できるもの同士で個別のネットワークが構築されている。すなわち、アプリケーション毎にネットワークを構築する必要があり、ネットワークの柔軟性や効率的な運用という観点からは大きな課題を抱えている。このような従来技術における解決手段として、例えば、共通プロトコルを用いたシステムが検討されている（例えば、非特許文献１参照）。
【非特許文献１】ユビキタスネットワーキングフォーラム  センサーネットワーク部会  技術検証専門委員会、ＮＥＷＳ  ＲＥＬＥＡＳＥ  共通プロトコルによる異種センサネットワーク相互接続の技術検証を開始、［平成１９年１月５日検索］、インターネット〈ＵＲＬ：http://www.ubiquitous-forum.jp/info/newsrelease20060724.pdf〉
【発明の開示】
【発明が解決しようとする課題】
【０００３】
しかしながら、上述した非特許文献１に示すシステムにおいては、以下のような問題点があった。すなわち、共通プロトコルを用いたシステムでは、多様なプロトコルへの対応が困難であり、プロトコルを変換するためのゲートウェイの設置などネットワークのコスト増大という問題が生じる。
一方、従来技術における、端末装置からのデータを利用するアプリケーションに関しては、端末装置が記録している情報、例えば温度や照度のようなセンサーの値、端末固有の識別子などの利用が中心となっており、無線信号を復調したデータの活用にとどまっている。復調する前のデータ、例えば、信号の到達時刻、強度などの情報は、削除されてしまうのが現状である。これらのデータは、高精度な測位などを行う場合の貴重な情報であり、高度なユビキタスサービスを提供するためには、重要なデータとして活用することが望ましい。
【０００４】
本発明では、上記に鑑みてなされたもので、その目的は、ネットワークの効率的な運用を目指して、多種多様な無線通信方式を有する多数の端末システムを収容できる無線通信装置、無線通信システムを提供することにある。あわせて、復調前の無線信号を蓄積し、ユーザへ安全に提供するための基盤を構築するものである。
【課題を解決するための手段】
【０００５】
上述した課題を解決するために、本発明は、多種多様な無線信号を統一的に取り込む手段と復調前の無線信号を蓄積する手段と復調方式を選択する手段と各種無線信号を解析する手段ならびに無線信号を検索する手段とをあわせもつことを特徴としている。多種多様な無線信号を取り込む手段においては、無線の伝送方式に依存せず、同じ基地局で多様な無線信号を取り込む手段を提供する。取り込まれた無線信号は、光ファイバ上を伝達し、ネットワーク内に設置された復調前の無線信号を蓄積する手段に保存される。復調方式を選択する手段では、適切な復調方式を選択し、蓄積された無線信号を復調する。無線信号を解析する手段では、復調された無線信号を解析し、要求された情報を抽出する。無線信号検索手段は、サービスの要求に応じて、情報提供の可否を判断し、提供が可能な場合は、所望の情報がどこに蓄積されているか検索し、情報を提供する。
【０００６】
また、本発明は、第１の通信装置から送出された無線信号を復調しない状態でディジタル変換したディジタル信号を蓄積する第１の蓄積部と、前記第１の蓄積部に蓄積されるディジタル信号を復調するための変復調方式を選択して復調する復調方式選択部と、前記復調方式選択部によって復調されたディジタル信号を蓄積する第２の蓄積部と、第２の通信装置から送信されるデータの送信要求があると、前記第２の蓄積部に蓄積されたディジタル信号を読み出し、読み出したディジタル信号から、要求されたデータを前記第２の通信装置に送信するデータ送信部と、を有することを特徴とする。
【０００７】
また、本発明は、上述した無線通信装置において、前記第２の通信装置に対するアクセスを許可するか否かを示すアクセス権限情報を蓄積する第３の蓄積部と、前記第２の通信装置から送信されるキー情報と前記第３の蓄積部に記憶されるアクセス権限情報とに基づいて、前記第1の蓄積部に蓄積されたデータと前記第２の蓄積部に蓄積されたデータとのうち少なくともいずれか一方のデータを前記第２の通信装置に送信するか否かを判定するアクセス判定部と、を有することを特徴とする。
【０００８】
また、本発明は、上述した無線通信装置において、前記第１の通信装置を識別する端末ＩＤを含む属性情報を蓄積する第４の蓄積部を有し、前記復調方式選択部は、前記第４の蓄積部に蓄積された属性情報に対応するディジタル信号を前記第１の蓄積部から読み出して復調することを特徴とする。
【０００９】
また、本発明は、上述した無線通信装置において、前記第１の端末装置から送出される無線信号を復調しない状態で受信する受信装置を識別する識別ＩＤを蓄積する第５の蓄積部を有し、前記アクセス判定部は、前記第２の通信装置から送信されるキー情報と前記第５の蓄積部に記憶される識別ＩＤとに基づいて、前記第1の蓄積部に蓄積されたデータと前記第２の蓄積部に蓄積されたデータとのうち少なくともいずれか一方のデータを前記第２の通信装置に送信するか否かを判定することを特徴とする。
【００１０】
また、本発明は、第１の通信装置が送出する無線信号を受信して、前記無線信号を復調せずにディジタル変換したディジタル信号を生成する子局装置と、上述の無線通信装置と、前記子局から前記無線通信装置に光ファイバを介して前記ディジタル信号を伝送する光ファイバと、を有することを特徴とする。
【００１１】
また、本発明は、第１の通信装置が送出する無線信号を子局装置で受信し、前記無線信号を復調せずにディジタル変換し、ディジタル信号を親局装置まで光ファイバを介して伝送させるディジタルファイバ無線通信方法において、周波数帯ごとに該ディジタル信号を蓄積部に蓄積し、該ディジタル信号を復調するための変復調方式を選択し、第２の通信装置からデータの送信要求を受信し、当該第２の通信装置が該ディジタル信号および前記変復調方式に従って復調された後の信号へアクセスが許可されているか否かを判定し、アクセスが許可されていると判定した場合に復調後の信号を解析して、前記第２の通信装置に送信する、ことを特徴とする。
【００１２】
また、本発明は、コンピュータに、第１の通信装置から送出された無線信号を復調しない状態でディジタル変換したディジタル信号を蓄積する機能、前記蓄積されるディジタル信号を復調するための変復調方式を選択して復調する機能、前記復調されたディジタル信号を蓄積する機能、第２の通信装置から送信されるデータの送信要求があると、前記蓄積されたディジタル信号を読み出し、読み出したディジタル信号から要求されたデータを抽出し、前記第２の通信装置に送信する機能、として実現させるためのプログラムである。
【発明の効果】
【００１３】
以上説明したように、この発明によれば、復調前の無線信号のデータを蓄積し、変復調方式を選択して復調して蓄積し、通信装置からのデータ送信の要求があった場合に、その要求されたデータについて、復調され蓄積されたデータを読み出して、通信装置に送信するようにした。復調前の無線信号のデータも蓄積されることから、信号を復調する際に欠落してしまう情報についても、必要に応じて、提供することが可能となる。
【発明を実施するための最良の形態】
【００１４】
以下、本発明の一実施形態による無線通信システムについて図面を参照して説明する。図１は、この発明の一実施形態による無線通信システムの構成を示す概略ブロック図である。
図１において、無線通信システムは、無線通信装置１００と無線端末６とが無線によって接続される。無線通信装置１００は、無線信号取り込み部１、復調前無線信号ＤＢ部２、無線情報解析部３、無線情報検索部４、復調後無線信号ＤＢ部５、無線情報インデックスＤＢ部７、復調方式選択部８を有する。
無線信号取り込み部１については、例えば、特開２００４−３１２１５０で述べられている技術を用いることができる。
無線信号取り込み部１は、アンテナを有し、無線信号を受信する機能を有する。
また、無線信号取り込み部１は、無線端末６から送信された無線信号を受信し、自身に設けられたフィルタによって周波数帯ごとに無線信号を分離し、分離したディジタル信号に変換し、光ファイバによって復調前無線信号ＤＢ部２に伝送する。復調前無線信号ＤＢ部２には、この無線信号が周波数帯毎にわけて記憶される。
【００１５】
無線端末６には、端末をそれぞれ識別するための固有の端末ＩＤが割り振られており、送信する無線信号の先頭にその端末ＩＤが記録されている。端末ＩＤ以外の情報については、独自のフォーマットで任意のデータを書き込むことができる。すなわち、無線端末６は、端末ＩＤと送信するデータ（独自のフォーマットの任意のデータ）とを含む無線信号として無線信号取り込み部１に送信する。
無線端末６から発せられた信号は、無線信号取り込み部１に設置されたアンテナにより捕捉される。本実施形態では、無線信号は、設置されたアンテナで捕捉可能な周波数帯である限り、伝送方式に依存せず、システムに取り込むことが可能である。無線信号取り込み部１によって取り込まれた無線信号は、無線信号取り込み部１内に設けられたフィルタによって周波数帯ごとに分離され、無線信号取り込み部１によってディジタル信号に変換された後、光ファイバによって伝送され、復調前無線信号ＤＢ部２に周波数帯毎にわけて記憶される。
【００１６】
復調前無線信号ＤＢ部２は、光ファイバを介して無線信号取り込み部１から送信された情報を記憶する。この記憶する情報としては、例えば、無線信号を送信した無線端末６の端末ＩＤを含む無線信号として周波数帯域を示す情報を付与して、周波数帯域毎に記憶する。
【００１７】
復調後無線信号ＤＢ部５は、復調方式選択部８によって復調された無線信号のデータを記憶する。
【００１８】
復調方式選択部８は、復調前無線信号ＤＢ部２に記憶された信号の周波数帯を検出し、その信号の適切な復調方式を選択し、選択した復調方式に従って無線信号を復調し、復調後の無線信号のデータを復調後無線信号ＤＢ部５に記憶する。無線の復調方式は、周波数帯ごとに使用可能な復調方式が限られてくる。そこで、復調方式選択部８は、周波数帯域とその周波数帯域において使用可能な復調方式とを対応づけて記憶する記憶テーブルを記憶しており、この記憶テーブルを参照して周波数帯域に対応する復調方式を読み出すことによって、復調方式を選択し、適切な復調方式を検出することができる。
【００１９】
さらに復調方式選択部８は、無線信号を復調する過程において、無線信号の中から端末ＩＤを抽出し、復調前の無線信号がデータとして格納されていた復調前無線信号ＤＢ部２の格納アドレス情報および復調後の無線信号がデータとして格納される復調後無線信号ＤＢ部５の格納アドレス情報を、端末ＩＤをキーとして無線情報インデックスＤＢ部７に記憶する。
【００２０】
無線情報解析部３は、解析に必要となる無線信号定義情報を用いて、復調後無線信号ＤＢ部５に蓄積されたデータの構造を解析し、データから必要な情報を抽出する。この無線信号定義情報は、無線情報解析部３に予め記憶されているものであって、データの区切りを表すデリミッタ記号およびトークンの出現位置に応じたデータの意味が記述されており、復調後無線信号ＤＢ部５に記憶されたレコードをトークンに分解し、得られたトークンの意味を抽出する際に使用される。
この無線情報解析部３は、処理すべきデータの構造ごとに設けられており、その機能を利用するためのアドレスが付与されている。
【００２１】
無線情報検索部４は、無線情報インデックスＤＢ部７にアクセスし、端末ＩＤをキーとして検索することで、無線通信装置１００に対してデータの読み出し要求を行ってきた通信装置（例えば、端末装置等）が要求しているデータの格納場所を検出し、該格納場所からデータを読み出し、無線情報解析部３によって必要な情報を抽出し、データの送信要求を行ったサービス（例えば、通信装置）に送信する。また、サービスが要求しているデータが復調前の無線信号の情報である場合、無線情報検索部４は、無線情報解析部３を介さずに、復調前の無線データをサービスに送信する。どちらの場合においても、データへのアクセスが許されているか否かについては、無線情報インデックスＤＢ部７に記憶されたアクセス権限の情報を参照し、そのアクセス権限に基づいて判定し、アクセスが許されているサービスのみについて、抽出した情報を送信する。
【００２２】
図２は、無線情報インデックスＤＢ部７に記憶されるデータ構成例を示す図である。ここでは、ＩＰネットワークを前提としたシステム構築をした場合について説明する。
無線情報インデックスＤＢ部７は、端末ＩＤをキーとして、復調前データ蓄積アドレス、復調後データ蓄積アドレス、無線信号解析アドレス、アクセス権限の情報が対応付けて記憶する。このシステム内において必要な情報は、端末ＩＤをキーとして検索することが可能になっている。
復調前データ蓄積アドレスは、復号前の無線信号のデータを記憶した復調前無線信号ＤＢ部２にアクセスするためのアドレスを示す情報であり、ＩＰアドレスとポート番号とが記録される。
復調後データ蓄積アドレスは、復号後の無線信号のデータを記憶した復調後無線信号ＤＢ部５にアクセスするためのアドレスを示す情報であり、ＩＰアドレスとポート番号とが記録される。
この復調前データ蓄積アドレスと復調後データ蓄積アドレスとについては、復調方式選択部８が無線信号のデータを読み出しや書き込みの処理をするときに復調方式選択部８によって無線情報インデックスＤＢ部７に書き込まれる。
無線信号解析アドレスは、無線端末６が送信するデータの構造を解析するために、ネットワーク内に配置された無線情報解析部３を特定するためのアドレスである。
アクセス権限は、無線信号のデータへのアクセスを許可するか否かを示す情報である。ここでは、データへアクセスするためのキー情報（例えば、パスワード）として記憶されており、データの読み出し要求が行われる際に入力されるキー情報と記憶されたキー情報（アクセス権限の情報）とが一致するか否かを判定し、一致する場合に、データの読み出しを許可するものとして判定する。
【００２３】
なお、無線端末６の所有者は、無線端末６をネットワークに接続する際、その無線端末６から送信するデータを解析する機能を有する無線情報解析部３をネットワーク中に配置することが可能である。このとき、無線情報解析部３が配置されたネットワーク上のアドレスを端末ＩＤに対応づけて、無線情報インデックスＤＢ部７に登録することが可能である。
【００２４】
以上の機能を各構成部が併せ持つことにより、周波数や変復調方式に依存せずに、任意のデータ形式を発する端末からの情報を、必要なユーザへ安全に提供することが可能となる。
【００２５】
次に、上述した実施形態における無線通信システムの動作について、図面を用いて説明する。
図３は、無線通信装置１００の動作について説明するためのフローチャートである。
まず、無線通信装置１００は、無線端末６から無線信号が送信されると、その送信された無線信号を無線信号取り込み部１によって、受信して取り込み（ステップＳ１）、この無線信号を周波数帯域毎に分離し（ステップＳ２）、周波数帯域を示す情報を付与して復調前無線信号ＤＢ部２に記憶する（ステップＳ３）。この無線信号のデータの記憶は、無線信号を受信する毎に行われる。
【００２６】
次に、無線通信装置１００の復調方式選択部８は、復調前無線信号ＤＢ部２に記憶されたデータを読み出し、読み出したデータに付与されている周波数帯域を示す情報を検出し（ステップＳ４）、自身の記憶テーブルを検索し、検出した周波数帯域を示す情報に基づいて、復調方式を選択する（ステップＳ５）。復調方式が選択されると、復調方式選択部８は、読み出したデータを復調方式に従って復調し（ステップＳ６）、復調後のデータを復調後無線信号ＤＢ部５に記憶する（ステップＳ７）。そして、復調方式選択部８は、読み出したデータが格納されていた復調前無線信号ＤＢ部２のアドレスと、復調したデータを格納した復調後無線信号ＤＢ部５のアドレスとを、読み出したデータに含まれる端末ＩＤに対応づけて無線情報インデックスＤＢ部７に記憶する（ステップＳ８）。
【００２７】
次に、復調後無線信号ＤＢ部５に格納された情報を読み出す場合について、図面を用いて説明する。図４は、復調後無線信号ＤＢ部５に格納された情報を読み出す処理について説明するためのフローチャートである。
復調後無線信号ＤＢ部５からデータを読み出す通信装置は、端末ＩＤとキー情報とともに、データの読み出し要求を無線通信装置１００に送信する。
【００２８】
無線通信装置１００の無線情報検索部４は、通信装置から端末ＩＤとキー情報とともにデータの読み出し要求を受信すると（ステップＳ１１）、端末ＩＤに対応するキー情報を無線情報インデックスＤＢ部７から読み出し、読み出したキー情報と通信装置から受信したキー情報とを比較し、一致するか否かを判定する（ステップＳ１２）。一致しない場合は、アクセス権限がないものとして処理を終了する。
【００２９】
一方、キー情報が一致する場合、無線情報検索部４は、通信装置から受信した端末ＩＤに基づいて、無線情報インデックスＤＢ部７を検索し（ステップＳ１３）、指定された端末ＩＤに対応づけされた復調後データ蓄積アドレス、無線信号解析アドレスの情報を読み出し（ステップＳ１４）、読み出した復調後データ蓄積アドレスに格納されたデータを復調後無線信号ＤＢ部５から読み出す（ステップＳ１５）。そして、無線情報検索部４は、復調後無線信号ＤＢ部５から読み出したデータを、読み出した無線信号解析アドレスによって特定される無線情報解析部３によって解析を行い（ステップＳ１６）、解析結果となるデータから必要な情報を抽出し、データの読み出し要求を行った通信装置に送信する（ステップＳ１８）。
【００３０】
以上説明した実施形態によれば、復調前の無線信号のデータを復調して蓄積しておき、通信装置からのデータ送信の要求があった場合に、その要求されたデータについて、復調後無線信号ＤＢ部５から無線情報解析部３によって抽出して通信装置に送信するようにした。また、復調前のデータへアクセスして通信装置に送信することも可能である。これにより、復調の際に欠落してしまう情報についても、蓄積しておき、必要に応じて提供することが可能となる。
【００３１】
なお、上述した実施形態において、無線情報検索部４は、無線情報解析部３を介さずに、復調前の無線データをサービスに送信することが可能であるが、サービスの要求に応じて、復調前無線信号ＤＢ部２から読み出した復調前の無線データ全体を、無線情報解析部４がサービスに対して送信するようにしてもよいし、サービスからの要求に応じて、必要な情報を無線情報解析部３によって抽出し、無線情報解析部４が送信するようにしてもよい。
【００３２】
次に、第２の実施形態について説明する。
図５は、本発明の第２の実施形態における無線通信システムの構成を示す概略ブロック図である。この図において、図１の各部に対応する部分には同一の符号を付し、その説明を省略する。この実施形態においては、主に、無線端末属性情報ＤＢ部９が設けられている点が図１と相違する。
【００３３】
図３において、無線端末６には、無線信号を送出する機能と無線端末の属性情報を送出する機能がそれぞれ設けられている。この属性情報については、予め制御用のチャネルとして設定された周波数帯を用いて通信が行われる。この属性情報も無線信号と同様に無線信号取り込み部１によって受信された後、光ファイバを介して伝送され、無線端末属性情報ＤＢ部９に記憶される。
【００３４】
図６は、本実施形態における無線端末６の属性情報を説明するための図面である。属性情報は、無線端末が無線信号を送信する際に使用するヘッダー情報と、端末の固有の端末ＩＤと、ヘッダーを除くデータのサイズを示す情報が含まれる。この属性情報は、無線端末から送信される無線信号に含まれているヘッダー情報がコピーされ、無線端末６自身に設定された端末ＩＤ、無線信号のヘッダーを除くデータのサイズを示す情報が連結された情報であり、無線端末６によって生成される。
【００３５】
復調方式選択部８は、復調前無線信号ＤＢ部２に記憶された無線信号を復調する際、あわせて無線端末属性情報ＤＢ９に記憶された属性情報と、その復調対象の無線信号のデータとのマッチングを実行する。マッチングは、属性情報に含まれたヘッダー情報と無線信号のデータに含まれたヘッダー情報とが、一致するか否かに基づいて行われる。属性情報のヘッダー情報と同じヘッダー情報が無線信号に含まれ、ヘッダーを除くデータのサイズがその属性情報と同じ場合には、属性情報から端末ＩＤを抽出する。抽出された後は、無線情報インデックスＤＢ部７に、端末ＩＤをキーとして、各種情報を記憶するために用いられる。
【００３６】
このような機能を各構成部が併せ持つことにより、周波数や変復調方式に依存せずに、任意のデータ形式を有する端末からの情報を、必要なユーザへ提供することが可能となる。
【００３７】
図７は、本発明の第３の実施形態における無線通信システムを示す概略ブロック図である。この図において図１の各部に対応する部分には同一の符号を付け、その説明を省略する。
この実施形態では、無線端末６に加えて、無線信号取り込み部１においても、固有の識別ＩＤが割り当てられる。この識別ＩＤは、例えば無線信号取り込み部１内に設けられたＲＯＭ（read-only memory）に記録され、予め予約された周波数を用いて光ファイバによって伝送され、無線信号の格納場所である復調前無線信号ＤＢ部２に記録される。この実施形態において、無線信号取り込み部１と復調前無線信号ＤＢ部２は、一対一に対応する構成としている。すなわち、復調前無線信号ＤＢ部２は、それに対応する無線信号取り込み部１と固有の識別ＩＤを共有することになる。
【００３８】
復調方式選択部８は、無線信号のデータを無線情報インデックスＤＢ部７に反映させる際に、あわせて、無線信号取り込み部１の識別ＩＤを無線情報インデックスＤＢ部７に書き込む。
【００３９】
無線信号取り込み部１の管理者は、無線信号アクセスＤＢ部１０に、無線信号取り込み部ＩＤをキーとして、該無線信号取り込み部１で取り込まれた無線信号のアクセス権についての情報を記録する。このアクセス権については、アクセスのためのキーをＤＢに登録し、利用時に入力されたキーと登録されたキーとの整合が取れた場合に許可することで実現される。
【００４０】
図８は、本実施形態における無線情報インデックスＤＢ部７に記憶される情報のデータ構成例である。ここでは、第１の実施形態における無線情報インデックスＤＢ部７に記憶された情報に、さらに、無線信号取り込み部１の識別ＩＤが端末ＩＤに対応付けされて記憶される。
図９は、無線信号アクセスＤＢ部１０に記憶される情報のデータ構成例を示す図である。無線信号アクセスＤＢ部１０は、識別ＩＤとアクセス権限とが対応付けされて記憶される。
【００４１】
通信装置は、ユーザからの指示に基づいて、無線情報検索部４に接続することによって、無線信号のデータにアクセスする。このとき、無線信号取り込み部１の管理者に許可されたユーザだけが情報を読み出すことができる。すなわち、無線情報検索部４は、無線情報インデックスＤＢ部７を参照し、通信装置から指定された端末ＩＤをキーとして、無線信号が取り込まれた際の無線信号取り込み部１の識別ＩＤを読み出す。そして、読み出した識別ＩＤとキーとして、無線信号アクセスＤＢ部１０を検索し、アクセス権限の情報を読み出す。次いで、無線情報検索部４は、通信装置から入力されるキー情報と無線信号アクセスＤＢ部１０から読み出したアクセス権限（キー情報）とを比較し、一致するか否かに基づいて、無線信号のデータ読み出しについてアクセス可否の判定をする。キー情報が一致し、アクセスが許可されている場合にのみ、無線情報のデータ読み出しが可能となる。
以上の機能を各構成部が併せ持つことにより、周波数や変復調方式に依存せずに、任意のデータ形式を有する端末からの情報を、必要なユーザへ提供することが可能となる。また、この実施形態によれば、無線信号取り込み部１の管理者から入力されたアクセス権限の情報に基づいて、無線信号のデータを参照できるユーザを管理することができる。
【００４２】
なお、上述した実施形態において、第２の実施形態における無線通信システムと第３の実施形態における無線通信システムとを組み合わせ、属性情報および識別ＩＤを利用した無線通信システムとして構成するようにしてもよい。
【００４３】
また、図１における無線通信装置１００の機能を実現するためのプログラムをコンピュータ読み取り可能な記録媒体に記録して、この記録媒体に記録されたプログラムをコンピュータシステムに読み込ませ、実行することによりデータの蓄積、送信の管理を行ってもよい。なお、ここでいう「コンピュータシステム」とは、ＯＳや周辺機器等のハードウェアを含むものとする。
【００４４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４５】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４６】
【図１】この発明の一実施形態による無線通信システムの構成を示す概略ブロック図である。
【図２】無線情報インデックスＤＢ部７に記憶されるデータ構成例を示す図である。
【図３】無線通信装置１００の動作について説明するためのフローチャートである。
【図４】復調後無線信号ＤＢ部５に格納された情報を読み出す処理について説明するためのフローチャートである。
【図５】本発明の第２の実施形態における無線通信システムの構成を示す概略ブロック図である。
【図６】本実施形態における無線端末６の属性情報を説明するための図面である。
【図７】本発明の第３の実施形態における無線通信システムを示す概略ブロック図である。
【図８】本実施形態における無線情報インデックスＤＢ部７に記憶される情報のデータ構成例である。
【図９】無線信号アクセスＤＢ部１０に記憶される情報のデータ構成例を示す図である。
【符号の説明】
【００４７】
１  無線信号取り込み部              ２  復調前無線信号ＤＢ部
３  無線情報解析部                  ４  無線情報検索部
５  復調後無線信号ＤＢ部            ６  無線端末
７  無線情報インデックスＤＢ部      ８  復調方式選択部
９  無線端末属性情報ＤＢ部          １０  無線信号アクセスＤＢ部
【図１】
2008172597.tif 000003
【図２】
2008172597.tif 000004
【図３】
2008172597.tif 000005
【図４】
2008172597.tif 000006
【図５】
2008172597.tif 000007
【図６】
2008172597.tif 000008
【図７】
2008172597.tif 000009
【図８】
2008172597.tif 000010
【図９】
2008172597.tif 000011